(57)【要約】【課題】既存の同軸ケーブルを加工せずに接続される機器の接続性を向上すること。【解決手段】  同軸ケーブル６を接続する接続部１０と、同軸ケーブル６を通じて信号を処理する装置の状態を表す所定の値を検出する状態検出部３と、状態検出部３の検出値に基づいて、同軸ケーブル６の芯線５を固定する固定手段とを備え、固定手段は、芯線５を固定するために、芯線５を実質上対向する方向から挟み込む一対の絶縁性の把持部８、及び各々の把持部８を芯線５に向かって移動させる一対の駆動部１４とを有する、同軸ケーブル接続装置である。【選択図】図２
2007048466.tif 000002
【特許請求の範囲】
【請求項１】
同軸ケーブルを接続する接続部と、
前記同軸ケーブルを通じて信号を処理する装置の状態を表す所定の値を検出する状態検出部と、
前記状態検出部の検出値に基づいて、前記同軸ケーブルの芯線を固定する固定手段とを備えた、同軸ケーブル接続装置。
【請求項２】
前記固定手段は、
前記芯線を固定するために、前記芯線を実質上対向する方向から挟み込む一対の絶縁性の把持部、及び各々の前記把持部を前記芯線に向かって移動させる一対の駆動部を有する、請求項１記載の同軸ケーブル接続装置。
【請求項３】
前記駆動部は、
前記把持部と接続している金属製の棒状部材と、
前記棒状部材の挿入されるソレノイドコイルとを有しており、
前記把持部、前記棒状部材、及び前記ソレノイドコイルは、前記接続部に設置されており、
前記状態検出部の検出値に基づいて、前記ソレノイドコイルが通電され、前記棒状部材及び前記把持部が前記芯線に向かって移動する、請求項２記載の同軸ケーブル接続装置。
【請求項４】
同軸ケーブルを接続する接続部と、
前記同軸ケーブルを通じて信号を処理する装置の状態を表す所定の値を検出する状態検出部と、
前記状態検出部の検出値に基づいて、表示する表示手段と、
前記同軸ケーブルの芯線を固定する固定手段と、
前記固定手段を駆動させる操作手段とを備えた、同軸ケーブル接続装置。
【請求項５】
前記固定手段は、前記芯線を固定するために、前記芯線を実質上対向する方向から挟み込む一対の絶縁性の把持部を有し、
前記操作手段は、スイッチと、前記スイッチと前記把持部の間を接続するワイヤとを有し、前記把持部、前記スイッチ、及び前記ワイヤは前記接続部に設けられている、請求項４記載の同軸ケーブル接続装置。
【請求項６】
前記所定の値を記憶する状態保存部を更に備え、
前記状態検出部によって前記状態保存部に記憶されている値と、予め決められた閾値が比較され、前記値が前記閾値を超えた場合に、前記同軸ケーブルの芯線は前記固定手段によって固定される、請求項１又は４記載の同軸ケーブル接続装置。
【請求項７】
前記装置は、ＴＶであり、
前記所定の値とは、前記ＴＶの受信レベルである、請求項１又は４記載の同軸ケーブル接続装置。
【請求項８】
前記装置は、データ処理装置であり、
前記所定の値とは、データ通信速度である、請求項１又は４記載の同軸ケーブル接続装置。
【請求項９】
前記接続部は、前記同軸ケーブルがねじ込まれるねじ込み部を有し、
前記ねじ込み部は、その表面に前記同軸ケーブルがねじ込まれることによって削られる印を有している、請求項１又は４記載の同軸ケーブル接続装置。
【発明の詳細な説明】
【技術分野】
【０００１】
本発明は、同軸ケーブルの接続に関するものである。
【背景技術】
【０００２】
従来技術として、同軸ケーブルの端末部の接続信頼性を向上させる同軸コネクタ構造が、例えば、特許文献１に開示されている。
【０００３】
この特許文献１には、同軸線の末端部を加工することにより、この末端部にメス型コネクタハウジングを装着し、同軸線の接続先にはオス型コネクタハウジングを装着し、これらハウジング同士を嵌合させることによって同軸線を接続する同軸コネクタ構造が開示されている。
【特許文献１】特開２００３−７７５９５号公報
【発明の開示】
【発明が解決しようとする課題】
【０００４】
しかしながら、従来の同軸ケーブルのコネクタ構造を利用しようとすると、既存の同軸ケーブルを加工してから同軸コネクタ構造に取り付けなければならなかった。
【０００５】
上記従来の課題を考慮し、本発明の目的は、既設の同軸ケーブルを加工せずに、同軸ケーブルの接続信頼性を向上する、又は、設置された機器にとって安定した状態を保ち続けることが可能な同軸ケーブル接続装置を提供することである。
【課題を解決するための手段】
【０００６】
上記目的を達成するために、第１の本発明は、
同軸ケーブルを接続する接続部と、
前記同軸ケーブルを通じて信号を処理する装置の状態を表す所定の値を検出する状態検出部と、
前記状態検出部の検出値に基づいて、前記同軸ケーブルの芯線を固定する固定手段とを備えた、同軸ケーブル接続装置である。
【０００７】
又、第２の本発明は、
前記固定手段は、
前記芯線を固定するために、前記芯線を実質上対向する方向から挟み込む一対の絶縁性の把持部、及び各々の前記把持部を前記芯線に向かって移動させる一対の駆動部を有する、第１の本発明の同軸ケーブル接続装置である。
【０００８】
又、第３の本発明は、
前記駆動部は、
前記把持部と接続している金属製の棒状部材と、
前記棒状部材の挿入されるソレノイドコイルとを有しており、
前記把持部、前記金属製棒状部材、及び前記ソレノイドコイルは、前記接続部に設置されており、
前記状態検出部の検出値に基づいて、前記ソレノイドコイルが通電され、前記棒状部材及び前記把持部が前記芯線に向かって移動する、第２の本発明の同軸ケーブル接続装置である。
【０００９】
又、第４の本発明は、
同軸ケーブルを接続する接続部と、
前記同軸ケーブルを通じて信号を処理する装置の状態を表す所定の値を検出する状態検出部と、
前記状態検出部の検出値に基づいて、表示する表示手段と、
前記同軸ケーブルの芯線を固定する固定手段と、
前記固定手段を駆動させる操作手段とを備えた、同軸ケーブル接続装置である。
【００１０】
又、第５の本発明は、
前記固定手段は、前記芯線を固定するために、前記芯線を実質上対向する方向から挟み込む一対の絶縁性の把持部を有し、
前記操作手段は、スイッチと、前記スイッチと前記把持部の間を接続するワイヤとを有し、前記把持部、前記スイッチ、及び前記ワイヤは前記接続部に設けられている、第４の本発明の同軸ケーブル接続装置である。
【００１１】
又、第６の本発明は、
前記所定の値を記憶する状態保存部を更に備え、
前記状態検出部によって前記状態保存部に記憶されている値と、予め決められた閾値が比較され、前記値が前記閾値を超えた場合に、前記同軸ケーブルの芯線は前記固定手段によって固定される、第１又は４の本発明の同軸ケーブル接続装置である。
【００１２】
又、第７の本発明は、
前記装置は、ＴＶであり、
前記所定の値とは、前記ＴＶの受信レベルである、第１又は４の本発明の同軸ケーブル接続装置である。
【００１３】
又、第８の本発明は、
前記装置は、データ処理装置であり、
前記所定の値とは、データ通信速度である、第１又は４の本発明の同軸ケーブル接続装置である。
【００１４】
又、第９の本発明は、
前記接続部は、前記同軸ケーブルがねじ込まれるねじ込み部を有し、
前記ねじ込み部は、その表面に前記同軸ケーブルがねじ込まれることによって削られる印を有している、第１又は４の本発明の同軸ケーブル接続装置である。
【発明の効果】
【００１５】
本発明によれば、既設の同軸ケーブルを加工せずに、同軸ケーブルの接続信頼性を向上する、又は、設置された機器にとって安定した状態を保ち続けることが可能な同軸ケーブル接続装置を提供することが出来る。
【発明を実施するための最良の形態】
【００１６】
以下、本発明の実施の形態について図面を参照しながら説明する。
【００１７】
（実施の形態１）
図１は、本発明にかかる実施の形態１における同軸ケーブル接続装置の上面図である。
【００１８】
本実施の形態１における同軸ケーブル接続装置７は、所定の規格寸法に準拠した同軸ケーブル６と接続可能な形状及び寸法である。図１に示すように、この同軸ケーブル接続装置７が設置された本発明の装置の一例は、ＴＶ９と仮定する。又、同軸ケーブル接続装置７は、ＴＶに取り付ける板形状のボード部１８と、ボード部１８と同軸ケーブル６の間を接続する接続部１０とを備えている。このボード部１８には、ＴＶ放送波の受信レベルを所定の周期で記憶する状態保持部４と、状態保持部４に記憶されている受信レベルと閾値との比較を行い、閾値を超えたか否かを判断する状態検出部３とが設置されている。
【００１９】
又、同軸ケーブル６の先端には、ナット１１が設けられており、同軸ケーブル６の中心には、芯線５が配置されている。
【００２０】
接続部１０は、ナット１１に挿入される筒形状の同軸ケーブル接続部１２（先端部分）と、同軸ケーブル接続部１２とボード部１８の間を接続するボード接続部１９（後端部分）とを有している。このボード接続部１９は実質上直方体形状であり、その一面がボード１部８に設置されており、他の一面に、ボード部１８の平面と平行になるように同軸ケーブル接続部１２が設置されている。この同軸ケーブル接続部１２の外周面１２ａには、ナット１１に対応するネジ山１３が形成されている。尚、図１において説明のために、ネジ山１３は同軸ケーブル接続部１２の途中までしか図示していないが、後述する図１１に示すように同軸ケーブル接続部１２の先端までネジ山は形成されている。
【００２１】
図２は、図１の紙面と平行方向の断面図である。又、図３は、図１のＡＡ′間の断面図である。尚、図２及び図３において、芯線５とＴＶ９の間を電気的に接続する構造については図示していない。
【００２２】
図２及び３に示すように、接続部１０の同軸ケーブル接続部１２の内周面１２ｂに、互いに対向するように２個のソレノイドコイル１４が設置されている。このソレノイドコイル１４には、それぞれ金属製の棒状部材１５が挿入されており、この棒状部材１５の先端には、芯線５を固定するための把持部８が設置されている。この把持部８は絶縁性の材料、例えばプラスチック等で形成されている。
【００２３】
図３に示すように、把持部８は、Ｙ字形状であり、そのＹ字の二股が同軸ケーブル接続部１２の内周中心方向（同軸ケーブル６を接続した場合の芯線５の方向）に向くように配置されている。又、棒状部材１５の把持部８が接続されている部分の近傍に、一端が接続されたバネ１６が設置されている。このバネ１６の他端は、その棒状部材１５が挿入されているソレノイドコイル１４が設置されている内周面１２ｂの近傍に接続されている。
【００２４】
又、図２に示すように状態検出部３からの検出結果に基づいて、ＴＶから状態検出部３を介してソレノイドコイル１４に電気を供給するための配線２が設置されている。
【００２５】
上記構成の本実施の形態１における同軸ケーブル接続装置の動作を以下に述べる。ＴＶ９に設置された同軸ケーブル接続装置７が、接続された同軸ケーブル６を固定する方法は、以下のような手順になる。
【００２６】
同軸ケーブル６のナット１１内に同軸ケーブル接続部１２を挿入し、ネジ山１３にナット１１を嵌める。これにより、芯線５が接続部１０を介してＴＶ９と電気的に接続される。
【００２７】
状態検出部３にＴＶ放送波が安定した状態で受信できる受信レベルの閾値が設定される（例えば３０[ｄＢｍＶ]）。ここでの値は、システム（機器）依存であることは言うまでもない。
【００２８】
ＴＶ９の電源が入ると、状態保持部４はＴＶ９が受信してるＴＶ放送波の受信レベルを一定の周期で保存する。
【００２９】
状態検出部３は、一定の周期で状態保持部４に保存されている受信レベル値を、信号線１７を介して取得する。
【００３０】
状態保持部４から取得した受信レベル値が、状態検出部３にあらかじめ設定された閾値以上であるならば、ＴＶ９からソレノイドコイル１４に電力を供給するように、状態検出部３が制御を行う。
【００３１】
２つのソレノイドコイル１４のそれぞれに電力が供給されると、棒状部材１５は、同軸ケーブル接続部１２の内周の中心方向に移動する。そして、２つの把持部８によって芯線５は挟み込まれ固定される。この状態を図４及び図５に示す。図４は、図２の断面図において定着装置が芯線５を把持している状態を示している。又、図５は、図３の断面図において定着装置が芯線５を把持している状態を示している。
【００３２】
上述したように、安定した受信レベルを受信した時点で接続された同軸ケーブル６の芯線５を固定することにより、同軸ケーブル６の緩みはより生じなくなり、同軸ケーブル６の緩みによる映像の乱れが生じる可能性がより少なくなる。
【００３３】
また、ＴＶ放送波の受信レベルが最適になった時点で固定部に信号を送信し、同軸ケーブルの芯線を固定することにより、より安定した放送を受信することを保つことができる。
【００３４】
また、上述したように、芯線を固定することにより、同軸ケーブルの固定を行っているため、同軸ケーブルの接続部を特別な形状に加工する必要なく、同軸ケーブルを装置に固定することが可能となる。
【００３５】
尚、本実施の形態１では、同軸ケーブルの先端にナットが設置され、同軸ケーブル接続装置にはナットに対応したネジ山が形成されているが、ナット及びネジ山がなくてもよく、同軸ケーブルの芯線を同軸ケーブル接続装置に差し込む構成であれば、本発明は適用可能である。
【００３６】
なお、実施の形態１で示される同軸ケーブル接続装置７が設置される対象機器は、ＴＶ放送波を受信する機器であればよいことは言うまでもない。
【００３７】
又、本実施の形態１では、状態保持部４がＴＶの受信してるＴＶ放送波の受信レベルを一定の周期で保存していたが、ＴＶは自身が受信している受信レベルを容易に知ることが可能であるため、自身の電源が入ると、ＴＶが受信しているＴＶ放送波の受信レベルを一定の周期で状態保持部４に保存してもよい。
【００３８】
又、本実施の形態１では、ソレノイドコイル１４への電力の供給をＴＶ９から行っていたが、同軸ケーブル接続装置７が電池等を有していて、そこからソレノイドコイル１４へ電力を供給しても良い。
【００３９】
又、同軸ケーブル６を取り外す際には、ＴＶ９の電源をＯＦＦにすることによってソレノイドコイル１４への電力の供給が停止するため、バネ１６によって棒状部材１５は、ソレノイドコイル１４内へと引っ張られ、芯線５の固定は解除される。尚、バネ１６を設けていなくても、ソレノイドコイル１４への電力の供給が停止すれば、芯線５を把持する力はなくなるため同軸ケーブル６を抜くことは可能であるが、芯線５を傷付けないためにもバネ１６を設けた方がより好ましい。
【００４０】
又、ＴＶ９の受信レベルが閾値よりも低下した場合には、ソレノイドコイル１４への電力の供給を停止し芯線５を開放するような制御を行っても良い。この場合、例えば、ユーザーがナット１１を締め直し、受信レベルが閾値以上になった場合には、再び芯線５が固定される。
【００４１】
又、本実施の形態１では、ボード部１８上に状態保持部４及び状態検出部３を設けていたが、ボード部を設けずに、状態保持部４及び状態検出部３を接続部１０に設けてもよい。
【００４２】
又、本実施の形態１では、ボード部１８が取り付けられているＴＶ９の側面と平行に同軸ケーブル接続部１２が設けられているが、垂直に設けられていてもよく、同軸ケーブル接続部１２の取付方向に制限はない。
【００４３】
（実施の形態２）
図６は、本発明にかかる実施の形態２における同軸ケーブル接続装置の断面図である。
尚、本実施の形態２における同軸ケーブル接続装置は、実施の形態１と基本的構成は同じであるが、芯線５を固定するための把持部を動作させる手段が異なる。そのため、本相違点を中心に説明する。又、実施の形態１と同一の構成要素については、同一の符号を付している。本実施の形態２では、同軸ケーブル接続装置が設置された本発明のデータ処理装置の一例は、ケーブルモデム２１であると仮定する。そのため、本実施の形態２におけるケーブル接続装置２０の状態保持部４は、ケーブルモデム２１の通信速度を所定の周期で記憶を行う。
【００４４】
図６に示すように、本実施の形態２の同軸ケーブル接続装置２０は、ボード部２０に
設置されたランプ２０を更に備えている。このランプ２０は、状態保持部４に記憶されている通信速度と閾値が状態検出部３によって比較され、閾値を超えた場合に点灯する。又、閾値を超えたと判定した場合に、状態検出部３から信号をランプ２２に送信するための信号線２３が設置されている。
【００４５】
又、本実施の形態２は、実施の形態１のソレノイドコイル１４、棒状部材１５、及び配線２を備えておらず、スイッチ２４、ワイヤ２５等を備えている。以下、本実施の形態２における、本発明の固定手段及び操作手段の一例について詳しく説明する。
【００４６】
本実施の形態２の同軸ケーブル接続装置２０の同軸ケーブル接続部１２の内周面１２ｂに、内周の中心に向かって互いに対向するように、円柱形状の２つの支持部材２６が設置されている。これら支持部材２６を覆うように円筒形状の筒状部材２７がそれぞれ設置されており、この筒状部材２７の先端に、実施の形態１で説明した把持部８が接続されている。
【００４７】
又、ボード接続部１９の同軸ケーブル接続部１２に対して反対側の面１９ａには、２つのスイッチ２４が配置されている。これら２つのスイッチ２４と２つの筒状部材２７は、それぞれワイヤ２５で接続されている。又、筒状部材２７を基準にして、ボード接続部１９側であって、２つの筒状部材２７の近傍の内周面２３ｂ上には、それぞれ、ワイヤ２５を筒状部材２７の先端方向に導くようにガイド２８が設置されている。又、ガイド２８に対向するようにローラ２９が設けられている。ワイヤ２５は、同軸ケーブル接続部１２の中心軸と実質上平行に内周面２３ｂに沿って配置されており、ガイド２８とローラ２９の間を通って筒状部材２７に接続されている。
【００４８】
図７は、スイッチ２４の斜視図である。スイッチ２４は、円盤形状の押さえ部材３０と、押さえ部材３０の平面に垂直に設置されている円柱部材３１と、押さえ部材３０の平面と平行になるように、円柱部材３１の側面に設置されている１対の四角柱形状の固定部材３２とを有している。１対の固定部材３２は、それらの中心軸を結ぶ線が円柱部材３１の中心軸を通るように配置されている。
【００４９】
図８は、ボード接続部１９の同軸ケーブル接続部１２に対して反対側の面１９ａをスイッチ２４が挿入される方向から見た平面図である。図８に示すようにボード接続部の後端側の面１９ａには、スイッチ２４が挿入される穴３３が２つ開口されている。この穴３３は、円柱部材３１及び固定部材３２が挿入可能な形状となっている。
【００５０】
上記構成の本実施の形態２における同軸ケーブル接続装置の動作について以下に説明する。ケーブルモデム２１に設置された同軸ケーブル接続装置２０が、設置された同軸ケーブル６を固定する方法は、以下のような手順になる。
【００５１】
同軸ケーブル６のナット１１内に同軸ケーブル接続部１２を挿入し、ネジ山１３にナット１１を嵌める。これにより、芯線５が接続部１０を介してケーブルモデム２１と電気的に接続される。
【００５２】
状態検出部３にデータ通信を安定した状態で行うことができる物理速度の閾値が設定される（例えば１００[Ｍｂｐｓ]）。ここでの値は、システム（機器）依存であることは言うまでもない。
【００５３】
ケーブルモデム２１の電源が入ると、状態保持部４は、ケーブルモデム２１が送受信している物理リンク速度を一定の周期で保存する。
【００５４】
状態検出部３は、一定の周期で状態保持部４に保存されている物理速度を、信号線１７を介して取得する。
【００５５】
状態保持部４から取得した通信速度の値が、状態検出部３にあらかじめ設定された閾値以上であるならば、状態検出部３は信号線２３を介してランプ２２に信号を送信し、ランプ２２は点灯する。
【００５６】
ランプ２２が点灯してることによって、データ通信が安定した状態で行われていることをユーザーは判別できる。そこで、ユーザーはスイッチ２４を図６の矢印方向に押し込む。ここで図６に示すように、スイッチ２４を押し込む前は、固定部材３２はボード接続部１９内には挿入されていない。そして、押さえ部材３０を押すことによって、固定部材３２は穴３３を介して接続部１０内に挿入される。そして、挿入後、図９（ａ）から図９（ｂ）に示すように、スイッチ２４を円柱部材３１の軸方向に９０度程度回転させる。このように、回転させることによって、振動などがあってもスイッチ２４が穴３３から抜けることを防ぐことが可能となる。
【００５７】
上述のようにスイッチ２４を接続部１０内に押し込むと、連動しているワイヤ２５も矢印方向に移動し、ワイヤ２５と連結されている筒状部材２７も中心方向へ移動する。２つの筒状部材２７及び把持部８の中心方向への移動によって、対向する把持部８によって挟まれ、芯線５は固定される。この状態を示すのが、図１０の断面図である。
【００５８】
このように、安定した受信レベルを受信した時点で接続された同軸ケーブル６の芯線５を固定することにより、同軸ケーブル６の緩みはより生じなくなり、同軸ケーブル６の緩みによるデータ通信ができなくなったり、速度が落ちたりする可能性がより少なくなり、高い品質の通信環境を提供することが出来る。
【００５９】
又、固定部材３２を設けることによって、スイッチ２４が押し込んだ状態で固定されているため、振動があった場合でも芯線５の固定が緩むのを防止することが出来る。
【００６０】
尚、本実施の形態２の同軸ケーブル接続装置は、本発明のデータ処理装置の一例であるケーブルモデムに接続されているが、実施の形態１のようにＴＶに接続しても良い。
【００６１】
又、本実施の形態２では、状態保持部４がケーブルモデム２１の送受信してる通信速度を一定の周期で保存していたが、ケーブルモデム２１は、自身が送受信している物理リンク速度を容易に知ることが可能であるため、自身の電源が入ると、多機器とリンクしている状態の物理リンク速度を、一定の周期で状態保持部４に送信しても良い。
【００６２】
なお、本実施の形態２で示される同軸ケーブル接続装置７が設置される対象機器は、データ通信速度が取得できる通信機器であれば良いことは言うまでもない。
【００６３】
又、本発明の表示手段の一例は、本実施の形態２ではランプ２２に相当するが、点灯するだけでなく、受信レベルが最適になった旨の表示を行う液晶パネル等の表示手段であってもよい。又、状態検出部３がランプ２２を兼ねていてもよい。
【００６４】
又、実施の形態１及び２の構成に限らなくてもよく、要するに装置の状態に基づいて芯線５を固定することが出来さえすればよい。
【００６５】
（実施の形態３）
図１１（ａ）、（ｂ）、（ｃ）に本発明にかかる実施の形態３における同軸ケーブル接続装置の構成図を示す。図１１（ａ）は、本実施の形態３における同軸ケーブル接続装置に同軸ケーブルを接続する前の状態を示す図である。図１１（ｂ）は、同軸ケーブル接続装置に同軸ケーブルを接続した状態を示す図である。図１１（ｃ）は、同軸ケーブル接続装置に接続した同軸ケーブルが緩んだ状態を示す図である。
【００６６】
図１１（ａ）に示すように、本実施の形態３の同軸ケーブル接続装置には、実施の形態１と比較して、ネジ山１３が形成されている同軸ケーブル接続部１２の部分に一本のシールによって印３４が付けられている。この印３４は、同軸ケーブル６の接続方向に沿って形成されている。
【００６７】
図１１（ａ）に示す状態から同軸ケーブル６が接続され、図１１（ｂ）のような状態になると、印３４が同軸ケーブル６のナット１１のねじ込みにより削られる。もし、何らかの原因により同軸ケーブル６が緩み図１１（ｃ）のような状態になった場合、３５に示される部分は削られ、無くなっている。
【００６８】
ねじ込み部分の印３４が同軸ケーブル６のねじ込みと同時に削られることにより、同軸ケーブル６が緩んだ場合、前回の固定位置が視覚的にわかるため、接続が緩んだことが容易に判別出来、同軸ケーブル接続装置７が設置された機器が不具合を起こした場合の原因解析の一つとなる。
【００６９】
尚、本発明のねじ込み部は、本実施の形態３の同軸ケーブル接続部１２のネジ山１３が形成されている部分に相当し、印３４は、一本のシールで示したが、ねじ込み部分全てに印を付けても良いことは言うまでもない。また、印はシールでも塗装でもねじ込みによって削られるものであればよい。
【産業上の利用可能性】
【００７０】
本発明の同軸ケーブル接続装置は、既設の同軸ケーブルを加工せずに、同軸ケーブルの接続信頼性を向上する、又は、設置された機器にとって安定した状態を保ち続けることが可能な効果を有し、既設のＴＶ端子を利用したあらゆる機器に適用できる。
【図面の簡単な説明】
【００７１】
【図１】本発明にかかる実施の形態１における同軸ケーブル接続装置の上面図
【図２】本発明にかかる実施の形態１における同軸ケーブル接続装置の断面図
【図３】本発明にかかる実施の形態１における同軸ケーブル接続装置の接続方向に垂直な断面図
【図４】本発明にかかる実施の形態１における同軸ケーブル接続装置によって同軸ケーブルが固定されている状態を示す断面図
【図５】本発明にかかる実施の形態１における同軸ケーブル接続装置によって同軸ケーブルが固定されている状態の同軸ケーブル接続装置の接続方向に垂直な断面図
【図６】本発明にかかる実施の形態２における同軸ケーブル接続装置の断面図
【図７】本発明にかかる実施の形態２における同時ケーブル接続装置のスイッチの斜視図
【図８】本発明にかかる実施の形態２における同軸ケーブル接続装置の接続部の後端側の平面図
【図９】（ａ）  本発明にかかる実施の形態２における同軸ケーブル接続装置の接続部にスイッチを押し込む前のスイッチを示す上面図（ｂ）本発明にかかる実施の形態２における同軸ケーブル接続装置の接続部にスイッチを押し込んだ後のスイッチを示す上面図
【図１０】本発明にかかる実施の形態２における同軸ケーブル接続装置によって同軸ケーブルが固定されている状態を示す断面図
【図１１】（ａ）本発明にかかる実施の形態３における同軸ケーブル接続装置に同軸ケーブルを接続する前の状態を示す図（ｂ）本発明にかかる実施の形態３における同軸ケーブル接続装置に同軸ケーブルを接続した状態を示す図（ｃ）本発明にかかる実施の形態３における同軸ケーブル接続装置に接続した同軸ケーブルが緩んだ状態を示す図
【符号の説明】
【００７２】
２  配線
３  状態検出部
４  状態保持部
５  芯線
６  同軸ケーブル
７  同軸ケーブル接続装置
８  把持部
９  ＴＶ
１０  接続部
１１  ナット
１２  同軸ケーブル接続部
１３  ネジ山
１４  ソレノイドコイル
１５  棒状部材
１６  バネ
１７  信号線
１８  ボード部
１９  ボード接続部
【図１】
2007048466.tif 000003
【図２】
2007048466.tif 000004
【図３】
2007048466.tif 000005
【図４】
2007048466.tif 000006
【図５】
2007048466.tif 000007
【図６】
2007048466.tif 000008
【図７】
2007048466.tif 000009
【図８】
2007048466.tif 000010
【図９】
2007048466.tif 000011
【図１０】
2007048466.tif 000012
【図１１】
2007048466.tif 000013